(57)【要約】【課題】発光部に応力が加わることによる光源ユニット及びソケットの破損を抑制することができる照明器具を提供する。【解決手段】照明器具１０は、底面部１１１を有する器具本体１００と、底面部１１１に配置されたソケット１４０と、ソケット１４０に着脱自在に取り付けられる電源部２００ａ、及び、電源部２００ａがソケット１４０に取り付けられた状態の平面視において電源部２００ａを囲む発光部２００ｂを有する光源ユニット２００とを備える。そして、器具本体１００は、さらに、底面部１１１と発光部２００ｂとの間に配置され、かつ、発光部２００ｂに向けて突出する第１リブ１２０を有する。【選択図】図２
2020177845.tif 000002
【特許請求の範囲】
【請求項１】
底面部を有する器具本体と、
前記底面部に配置されたソケットと、
前記ソケットに着脱自在に取り付けられる電源部、及び、前記電源部が前記ソケットに取り付けられた状態の平面視において前記電源部を囲む発光部を有する光源ユニットとを備え、
前記器具本体は、さらに、前記底面部と前記発光部との間に配置され、かつ、前記発光部に向けて突出する第１リブを有する
照明器具。
【請求項２】
前記第１リブは、前記底面部から前記発光部に向けて突出して設けられる
請求項１に記載の照明器具。
【請求項３】
さらに、前記ソケットと前記底面部との間に、前記ソケットが取り付けられるソケット台であって、前記平面視において、少なくとも一部が前記発光部と重なるソケット台を備え、
前記第１リブは、前記ソケット台から前記発光部に向けて突出して設けられる
請求項１に記載の照明器具。
【請求項４】
前記第１リブは、柱状の突起であり、前記平面視において、前記発光部に沿って３以上設けられる
請求項１〜３のいずれか１項に記載の照明器具。
【請求項５】
前記第１リブは、環状の突起である
請求項１〜３のいずれか１項に記載の照明器具。
【請求項６】
前記器具本体は、さらに、前記発光部の外周側の側面を囲む第２リブであって、高さ、及び、前記側面とのすき間の少なくとも一方が前記発光部の前記底面部側の面に人の指が当たらないように形成されている第２リブを有する
請求項１〜５のいずれか１項に記載の照明器具。
【請求項７】
前記すき間の幅は、前記平面視において、前記指より小さい
請求項６に記載の照明器具。
【請求項８】
前記幅は、１ｃｍ以下である
請求項７に記載の照明器具。
【請求項９】
前記指は、ＪＩＳで規定する試験指である
請求項６〜８のいずれか１項に記載の照明器具。
【請求項１０】
前記発光部は、発光モジュールと、前記発光モジュールが配置される本体部と、前記発光モジュールを覆い、かつ、前記本体部に取り付けられる透光性のカバーとを有し、
前記第２リブは、前記本体部と前記カバーとの境界と面一となる位置まで突出して設けられている
請求項６〜９のいずれか１項に記載の照明器具。
【請求項１１】
前記発光部は、前記光源ユニットが前記器具本体に取り付けられた状態で、前記電源部よりも前記底面部側に配置される
請求項１〜１０のいずれか１項に記載の照明器具。 
【請求項１２】
器具本体は、樹脂成形品である
請求項１〜１１のいずれか１項に記載の照明器具。
【請求項１３】
底面部を有する器具本体と、
前記底面部に配置されたソケットと、
前記ソケットに着脱自在に取り付けられる電源部、及び、前記電源部が前記ソケットに取り付けられた状態の平面視において前記電源部を囲む発光部を有する光源ユニットとを備え、
前記器具本体は、さらに、前記発光部の外周側の側面を囲むリブであって、高さ、及び、前記側面とのすき間の少なくとも一方が前記発光部の前記底面部側の面に人の指が当たらないように形成されているリブを有する
照明器具。
【発明の詳細な説明】
【技術分野】
【０００１】
本発明は、照明器具に関する。
【背景技術】
【０００２】
従来、一対の電極ピンを備えたいわゆるＧＸ５３形の口金を用いた光源ユニットが知られている。この光源ユニットは、造営材等に取り付けられた器具本体が有するソケットに電極ピンを挿入することで、ソケットに対する光源ユニットの支持と電気的な接続とを同時に実現している。
【０００３】
光源ユニットは、給電用の点灯回路（電源回路）と、当該点灯回路からの電力により発光する光源（光源部）とを備える。特許文献１には、点灯回路と光源とが分離して配置された光源ユニットが開示されている。
【先行技術文献】
【特許文献】
【０００４】
【特許文献１】特開２０１６−０４８６８７号公報
【発明の概要】
【発明が解決しようとする課題】
【０００５】
しかしながら、特許文献１に記載の光源ユニットが器具本体に取り付けられた状態で、光源（発光部）に応力が加わると光源ユニット及びソケットが破損する恐れがある。
【０００６】
そこで、本発明は、発光部に応力が加わることによる光源ユニット及びソケットの破損を抑制することができる照明器具を提供することを目的とする。
【課題を解決するための手段】
【０００７】
上記目的を達成するために、本発明の一態様に係る照明器具は、底面部を有する器具本体と、前記底面部に配置されたソケットと、前記ソケットに着脱自在に取り付けられる電源部、及び、前記電源部が前記ソケットに取り付けられた状態の平面視において前記電源部を囲む発光部を有する光源ユニットとを備え、前記器具本体は、さらに、前記底面部と前記発光部との間に配置され、かつ、前記発光部に向けて突出する第１リブを有する。
【０００８】
また、上記目的を達成するために、本発明の一態様に係る照明器具は、底面部を有する器具本体と、前記底面部に配置されたソケットと、前記ソケットに着脱自在に取り付けられる電源部、及び、前記電源部が前記ソケットに取り付けられた状態の平面視において前記電源部を囲む発光部を有する光源ユニットとを備え、前記器具本体は、さらに、前記発光部の外周側の側面を囲むリブであって、高さ、及び、前記側面とのすき間の少なくとも一方が前記発光部の前記底面部側の面に人の指が当たらないように形成されているリブを有する。
【発明の効果】
【０００９】
本発明の一態様に係る照明器具によれば、発光部に応力が加わることによる光源ユニット及びソケットの破損を抑制することができる。
【図面の簡単な説明】
【００１０】
【図１Ａ】実施の形態１に係る照明器具の外観を示す斜視図である。
【図１Ｂ】器具カバーを外した状態における、実施の形態１に係る照明器具の外観を示す斜視図である。
【図２】実施の形態１に係る照明器具の構成を示す分解斜視図である。
【図３】実施の形態１に係る器具本体の外観を示す平面図である。
【図４】図３のＩＶ−ＩＶ線における、実施の形態１に係る照明器具の断面図である。
【図５Ａ】実施の形態１に係る器具本体に形成される第１リブ及び第２リブの一例を示す部分拡大断面図である。
【図５Ｂ】実施の形態１に係る器具本体に形成される第１リブの他の一例を示す部分拡大断面図である。
【図５Ｃ】実施の形態１に係る器具本体に形成される第１リブのさらに他の一例を示す部分拡大断面図である。
【図６】壁に取り付けられた場合における、実施の形態２に係る照明器具の断面図である。
【図７】実施の形態２に係る段差部の位置を説明するための部分拡大断面図である。
【図８】壁に取り付けられた場合における、実施の形態２に係る第２リブに水滴が落ちたときの水滴の流れを示す図である。
【発明を実施するための形態】
【００１１】
以下では、本発明の実施の形態に係る照明器具について、図面を用いて詳細に説明する。なお、以下で説明する実施の形態は、いずれも包括的または具体的な例を示すものである。したがって、以下の実施の形態で示される数値、形状、材料、構成要素、構成要素の配置位置及び接続形態などは、一例であり、本発明を限定する主旨ではない。
【００１２】
また、各図は、模式図であり、必ずしも厳密に図示されたものではない。したがって、例えば、各図において縮尺などは必ずしも一致しない。
【００１３】
また、以下の実施の形態で説明に用いられる図面においては座標軸が示される場合がある。Ｚ軸のマイナス側が設置面側（例えば、天井側）、Ｚ軸のプラス側が設置面と反対側であり、例えば、照射面側を表している。また、Ｘ軸方向及びＹ軸方向は、Ｚ軸方向に垂直な平面上において、互いに直交する方向である。Ｘ−Ｙ平面は、例えば、器具本体が設置される造営材と平行な平面である。例えば、以下の実施の形態において、「平面視」とは、Ｚ軸方向から見ることを意味する。
【００１４】
また、本明細書において、平行などの要素間の関係性を示す用語、及び、円環状、アーチ状などの要素の形状を示す用語、並びに、数値、及び、数値範囲は、厳格な意味のみを表す表現ではなく、実質的に同等な範囲、例えば数％程度の差異をも含むことを意味する表現である。
【００１５】
（実施の形態１）
以下、本実施の形態に係る照明器具１０について、図１Ａ〜図５Ｃを参照しながら説明する。
【００１６】
［１−１.照明器具の構成］
図１Ａは、本実施の形態に係る照明器具１０の外観を示す斜視図である。図１Ｂは、器具カバー３００を外した状態における、本実施の形態に係る照明器具１０の外観を示す斜視図である。図２は、本実施の形態に係る照明器具１０の構成を示す分解斜視図である。図３は、本実施の形態に係る器具本体１００の外観を示す平面図である。図４は、図３のＩＩＩ−ＩＩＩ線における、本実施の形態に係る照明器具１０の断面図である。なお、図４では、ソケット１４０に取り付けられた状態の光源ユニット２００も図示している。
【００１７】
図１Ａ〜図２に示すように、本実施の形態に係る照明器具１０は、器具本体１００と、ソケット１４０と、ソケット台１５０と、光源ユニット２００と、器具カバー３００（例えば、グローブ）とを備える。照明器具１０は、造営材等の設置面（例えば、天井５００）に設置される。照明器具１０は、例えば、マンションの共用通路の天井５００などの外部環境に曝される場所に設置される。
【００１８】
器具本体１００は、設置面に設置され、光源ユニット２００が着脱自在に取り付けられる本体部である。器具本体１００は、商用電源（図示しない）と配線（図示しない）を介して電気的に接続されている。
【００１９】
図２及び図３に示すように、器具本体１００は、底面部１１１及び底面部１１１の外周から突出して形成された環状の側壁部１１２を有する本体部１１０と、第１リブ１２０と、第２リブ１３０とを有する。
【００２０】
底面部１１１は、例えば、設置面に取り付けられる板状の部材である。また、底面部１１１上には、以下に説明するソケット１４０及びソケット台１５０が配置される。側壁部１１２には、器具カバー３００が取りつけられる。本実施の形態では、底面部１１１の平面視形状は円形であり、側壁部１１２の平面視形状は円環状であるが、底面部１１１及び側壁部１１２の平面視形状はこれに限定されない。
【００２１】
第１リブ１２０は、底面部１１１と発光部２００ｂとの間に配置され、かつ、発光部２００ｂに向けて突出する突起である。第１リブ１２０は、例えば、底面部１１１から発光部２００ｂ側に突出した柱状の突起である。第１リブ１２０は、例えば、複数配置されていてもよい。具体的には、第１リブ１２０は、平面視における発光部２００ｂの形状に沿って複数配置されてもよい。第１リブ１２０は、例えば、３以上配置される。例えば、３以上の第１リブ１２０は、発光部２００ｂの外周方向に沿って等間隔に配置される。
【００２２】
本実施の形態では、発光部２００ｂの平面視形状は円環状であるので、第１リブ１２０は、円環状に沿って複数配置される。また、第１リブ１２０は、平面視において、発光部２００ｂと重なる位置に配置される。
【００２３】
図４に示すように、発光部２００ｂは、器具本体１００（例えば、底面部１１１）と離隔して配置されている。言い換えると、発光部２００ｂと器具本体１００（例えば、底面部１１１）との間には、すき間が形成されている。そのため、光源ユニット２００が器具本体１００に取り付けられた状態で、発光部２００ｂに対して底面部１１１側（Ｚ軸マイナス側）に応力が加えられると、ソケット１４０及び電源部２００ａ（以降において、充電部とも記載する）、発光部２００ｂ等が破損する恐れがある。そこで、発光部２００ｂを支えるため、つまり、発光部２００ｂの底面部１１１側への変形を抑制するために、上記の第１リブ１２０が設けられる。
【００２４】
第１リブ１２０の高さＨ１（Ｚ軸方向の長さ）は、例えば、底面部１１１と発光部２００ｂとの距離より小さい。また、第１リブ１２０の高さＨ１は、例えば、第２リブ１３０の高さＨ２（Ｚ軸方向の長さ）より小さい。
【００２５】
なお、第１リブ１２０の形状は、上記に限定されない。第１リブ１２０は、例えば、平面視において、発光部２００ｂの形状に沿って環状に設けられてもよい。
【００２６】
図１Ｂ及び図２に示すように、第２リブ１３０は、光源ユニット２００が器具本体１００に着脱自在に取り付けられた状態で、発光部２００ｂの外周側の側面２００ｂ１を囲む環状の突起である。本実施の形態では、第２リブ１３０は、円環状の突起であるが、これに限定されない。また、第２リブ１３０は、高さＨ２（図４参照）、及び、発光部２００ｂの側面２００ｂ１とのすき間Ｓ２の幅Ｗ２（図５Ａ参照）の少なくとも一方が、発光部２００ｂの裏面２００ｂ２（底面部１１１側の面）に人の指が当たらないように形成されている。
【００２７】
図４に示すように、発光部２００ｂは、器具本体１００（例えば、底面部１１１）と離隔して配置されている。言い換えると、発光部２００ｂと器具本体１００（例えば、底面部１１１）との間には、すき間が形成されている。つまり、第２リブ１３０が設けられていない場合、ユーザは発光部２００ｂの裏面２００ｂ２に触れることができる。光源ユニット２００が器具本体１００に取り付けられた状態で、ユーザが発光部２００ｂの裏面２００ｂ２に触れることで、発光部２００ｂに底面部１１１と反対側（照射面側であり、Ｚ軸プラス側）に応力が加えられると、充電部等を破損する恐れがある。そこで、ユーザが発光部２００ｂの裏面２００ｂ２に触れることを抑制するために、上記の第２リブ１３０が設けられる。
【００２８】
また、図１Ｂ、図２及び図４に示すように、本実施の形態では、第２リブ１３０は、第１リブ部１３１と、第２リブ部１３２と、段差部１３３とを有する。第１リブ部１３１は、第２リブ１３０において、底面部１１１側及び発光部２００ｂのうち発光部２００ｂ側に位置する部分である。第２リブ部１３２は、第２リブ１３０において、第１リブ部１３１より底面部１１１側に位置する部分である。本実施の形態では、第１リブ部１３１及び第２リブ部１３２のそれぞれは、環状（例えば、円環状）に設けられる。段差部１３３は、第１リブ部１３１及び第２リブ部１３２の境界の外周面１３０ａに形成され、かつ、第２リブ１３０の平面視における形状に沿って延在する。段差部１３３は、第２リブ部１３２の外周面１３０ａが第１リブ部１３１の外周面１３０ａより発光部２００ｂ側に凹む段差である。また、第１リブ部１３１及び第２リブ部１３２の外周面１３０ａのそれぞれは、例えば、平坦な面である。
【００２９】
また、第２リブ１３０の高さＨ２は、例えば、底面部１１１と発光部２００ｂとの距離より大きい。第１リブ部１３１の高さＨ２１は、第２リブ部１３２の高さＨ２２より大きい。
【００３０】
また、図２に示すように、本実施の形態では、第２リブ１３０の内周面１３０ｂは、面一である。言い換えると、第２リブ部１３２は、第１リブ部１３１より厚み（径方向の長さ）が薄いリブである。
【００３１】
なお、第２リブ１３０は、段差部１３３を有することに限定されない。言い換えると、第２リブ１３０の外周面１３０ａに段差部１３３は形成されていなくてもよい。例えば、第１リブ部１３１及び第２リブ部１３２はそれぞれ、厚み（径方向の長さ）が等しく、かつ、面一となるように形成されていてもよい。また、例えば、第２リブ１３０は、底面部１１１側から発光部２００ｂ側に向けて、漸次的に厚みが薄くなるように形成されていてもよい。また、第２リブ１３０は、例えば、底面部１１１側から発光部２００ｂ側（Ｚ軸マイナス側からＺ軸プラス側）にむかうときに、外周面１３０ａに凸状の段差を有していない。
【００３２】
図３に示すように、第２リブ１３０は、平面視形状が尖状の尖部１３１ａを有する。具体的には、第１リブ部１３１は、尖部１３１ａを有する。第１リブ部１３１は、平面視形状が環状（例えば、円環状）であり、当該環状の一部に尖部１３１ａが形成されている。なお、尖部１３１ａは、頂部（Ｙ軸プラス側の部分）が尖っていることに限定されず、尖部１３１ａが形成されていない部分の曲率より曲率が大きい弧状であってもよい。
【００３３】
尖部１３１ａは、例えば、第１リブ部１３１に１箇所設けられる。また、尖部１３１ａは、第１リブ部１３１において、Ｚ軸に沿って延在して設けられる。また、尖部１３１ａは、第２リブ部１３２にわたって形成されていてもよい。
【００３４】
また、平面視において、第２リブ１３０における尖部１３１ａが形成されている位置と反対側には、水抜き部１３０ｃが形成されている。例えば、平面視において、尖部１３１ａと、第２リブ１３０の中心と、水抜き部１３０ｃとは、一直線上にこの順に配置される。図３の例では、水抜き部１３０ｃは、第２リブ１３０に形成された切り欠きである。例えば、切り欠きは、ユーザが発光部２００ｂの裏面２００ｂ２に触れることを抑制できる程度の大きさであるとよい。また、水抜き部１３０ｃは、切り欠きであることに限定されず、例えば、貫通孔などであってもよい。
【００３５】
また、本体部１１０には、照明器具１０内部の水を外部に排出するための排水口１１３（水抜き穴）が形成されていてもよい。
【００３６】
なお、本体部１１０は、第１リブ１２０及び第２リブ１３０の両方を有する例について説明するが、第１リブ１２０及び第２リブ１３０の少なくとも１つを有していればよい。
【００３７】
本体部１１０は、例えば、樹脂材料、又は、金属材料により構成される。本体部１１０は、例えば、樹脂成形品であってもよい。この場合、底面部１１１、側壁部１１２、第１リブ１２０及び第２リブ１３０は、一体形成される。
【００３８】
図２及び図３に示すように、ソケット１４０は、光源ユニット２００を固定し、かつ、光源ユニット２００が発光するための電力を供給する。ソケット１４０は、底面部１１１上に固定されて配置される。ソケット１４０には開口１４１が形成されており、当該開口１４１に光源ユニット２００の電極ピン（図示しない）が挿通された状態でソケット１４０に対して光源ユニット２００を回転させることで、光源ユニット２００がソケット１４０に取り付けられる。つまり、光源ユニット２００が器具本体１００に取り付けられる。
【００３９】
ソケット台１５０は、底面部１１１とソケット１４０との間に配置され、ソケット１４０が取り付けられる板状の部材である。図４に示すように、本実施の形態では、ソケット台１５０は、平面視において、少なくとも一部が発光部２００ｂと重なるように設けられる。ソケット台１５０は、底面部１１１に対して固定されている。
【００４０】
図１Ｂ及び図２に示すように、光源ユニット２００は、ソケット１４０から電力の供給を受けて発光する。光源ユニット２００は、ソケット１４０に着脱自在に取り付けられる。光源ユニット２００は、ソケット１４０に着脱自在に取り付けられる電源部２００ａと、発光部２００ｂと、電源部２００ａ及び発光部２００ｂを接続する連結部２００ｃとを有する。
【００４１】
図４に示すように、電源部２００ａは、電源ユニット２１１と、口金２１２と、電源ユニット２１１と及び口金２１２が配置される回路カバー２１３と、回路カバー２１３が配置される第１本体部２１０と、第１本体部２１０を覆う透光性の第１カバー部２２０とを含んで構成される。例えば、回路カバー２１３は、第１本体部２１０に着脱自在に取り付けられる。第１カバー部２２０は、第１本体部２１０に取り付けられる。
【００４２】
また、第１本体部２１０は、例えば、口金２１２から突出して設けられ、光源ユニット２００を発光させるための電力を器具本体１００から受電する電源受電用の電極ピンを有する。口金２１２は、例えば、ＧＸ５３形又はＥ形の口金であるが、これに限定されない。電源ユニット２１１は、光源ユニット２００を発光させるための電力を生成するための回路を有する。当該回路は、上述した商用電源から配線を介して供給されてきた交流電力を直流電力に変換する。電源ユニット２１１で生成された直流電力が、発光部２００ｂが有する発光モジュール２３１に供給されることにより、発光部２００ｂが発光する。
【００４３】
発光部２００ｂは、光源ユニット２００の光源である。発光部２００ｂは、電源部２００ａがソケット１４０に取り付けられた状態（言い換えると、光源ユニット２００が器具本体１００に取り付けられた状態）の平面視において電源部２００ａを囲むように設けられる。発光部２００ｂは、発光モジュール２３１と、発光モジュール２３１が配置される第２本体部２３０と、発光モジュール２３１を覆い、かつ、第２本体部２３０に取り付けられる透光性の第２カバー部２４０とを有する。
【００４４】
第２本体部２３０及び第２カバー部２４０は、例えば、環状に形成される。本実施の形態では、第２本体部２３０及び第２カバー部２４０は、円環状に形成される。
【００４５】
発光モジュール２３１は、例えば、白色光を発するための光源である。白色光とは、例えば、色温度（相関色温度）が２６００Ｋ〜７１００Ｋの光である。発光モジュール２３１は、基板２３２と、基板２３２に実装された複数の発光素子２３３とを有する。基板２３２は、複数の発光素子２３３を実装するためのプリント配線基板である。本実施の形態では、アーチ状の複数の基板２３２が環状に配置されている。
【００４６】
また、発光部２００ｂは、例えば、光源ユニット２００が器具本体１００に取り付けられた状態で、電源部２００ａよりも底面部１１１側（Ｚ軸マイナス側であり、設置面側）に配置される。なお、発光部２００ｂが発光部２００ｂよりも底面部１１１側に配置されるとは、図４に示す断面において、発光部２００ｂの少なくとも一部が発光部２００ｂより底面部１１１側に配置されていることを意味する。
【００４７】
なお、照明器具１０の光源は、特に限定されるものではない。例えば、上記の発光モジュールの代わりに、半導体レーザ等の半導体発光素子、有機ＥＬ素子（ＯＬＥＤ）、無機ＥＬ素子、又は、その他の固体発光素子を用いて構成された発光モジュールが用いられてもよい。また、発光モジュールは白色光を発光する例について説明したが、発光色はこれに限定されない。
【００４８】
連結部２００ｃは、第１本体部２１０及び第２本体部２３０を連結する第１連結部２５０と、第１カバー部２２０及び第２カバー部２４０を連結する第２連結部２６０（第３カバー部）とを有する。
【００４９】
このように、光源ユニット２００は、平面視において、電源部２００ａの外周に発光部２００ｂが配置される。また、本実施の形態では、光源ユニット２００には、開口２００ｄが形成されている。本実施の形態に係る光源ユニット２００は、電源部２００ａと発光部２００ｂとが離隔して配置される。そして、少なくとも１つの連結部２００ｃの内部に電源部２００ａから発光部２００ｂに電力を供給するための配線が配置される。これにより、電源部２００ａ及び発光部２００ｂのそれぞれで発生する熱が互いに干渉することを抑制することができる。例えば、発光部２００ｂからの熱により電源部２００ａがさらに温められることにより、電源部２００ａ内の回路部品が破壊されることを抑制することができる。
【００５０】
なお、第１本体部２１０、第２本体部２３０、及び、第１連結部２５０を含んで本体部２７０（光源本体部）が形成される。また、第１カバー部２２０、第２カバー部２４０、及び、第２連結部２６０を含んで光源カバー２８０が形成される。光源カバー２８０は、は、発光モジュール２３１から発せられた光を拡散する機能を有していてもよい。例えば、シリカもしくは炭酸カルシウムなどの光拡散材（微粒子）を含有する樹脂、又は、白色顔料を、透明なガラス又は樹脂で形成された光源カバー２８０の内面又は外面に付着させることで、乳白色の光拡散膜が光源カバー２８０に形成される。また、光源カバー２８０そのものが、光拡散材が分散された樹脂材料等を用いて成形されてもよい。本体部２７０及び光源カバー２８０それぞれは、樹脂成形品である。
【００５１】
図１Ａ及び図２に示すように、器具カバー３００は、透光性の部材により形成されており、光源ユニット２００から発せられた光を透過する。器具カバー３００は、光源ユニット２００を覆うように、器具本体１００に着脱自在に取り付けられる。
【００５２】
器具カバー３００は、光源ユニット２００から発せられた光を拡散する機能を有していてもよい。例えば、シリカもしくは炭酸カルシウムなどの光拡散材（微粒子）を含有する樹脂、又は、白色顔料を、透明なガラス又は樹脂で形成された器具カバー３００の内面又は外面に付着させることで、乳白色の光拡散膜が器具カバー３００に形成される。また、器具カバー３００そのものが、光拡散材が分散された樹脂材料等を用いて成形されてもよい。
【００５３】
器具カバー３００及び側壁部１１２は、器具カバー３００を器具本体１００に着脱自在に取り付けるための取付構造を有する。例えば、取付構造として、器具カバー３００及び側壁部１１２の一方にはおねじが形成されており、他方にはめねじが形成されている。おねじ及びめねじが螺合することで、器具カバー３００が器具本体１００に取り付けられる。
【００５４】
ここで、器具本体１００が有する第１リブ１２０及び第２リブ１３０について、さらに図５Ａ〜図５Ｃを参照しながら説明する。図５Ａは、本実施の形態に係る器具本体１００に形成される第１リブ１２０及び第２リブ１３０の一例を示す部分拡大断面図である。なお、図５Ａは、図４の破線領域Ｒ１を拡大した部分拡大断面図である。
【００５５】
図４及び図５Ａに示すように、第１リブ１２０は、底面部１１１から発光部２００ｂに向けて（Ｚ軸方向プラス側に向けて）突出しており、かつ、第２リブ１３０と一体形成されている。第１リブ１２０は、例えば、第２リブ１３０の内周面１３０ｂ（図２参照）から器具本体１００の平面視における中心（例えば、ソケット１４０）に向けて突出して形成される。第１リブ１２０は、柱状（例えば、矩形柱状）の突起である。また、第１リブ１２０の上面１２０ａは、例えば、平坦な面である。これにより、発光部２００ｂの裏面２００ｂ２との接触面積を増やすことができるので、発光部２００ｂからの応力が第１リブ１２０に局所的に加わることを抑制することができる。
【００５６】
第１リブ１２０は、例えば、光源ユニット２００が器具本体１００に取り付けられた状態で、幅Ｗ１のすき間Ｓ１をあけて設けられる。幅Ｗ１は、すき間Ｓ１におけるＺ軸方向の長さである。幅Ｗ１の最大値は、光源ユニット２００が器具本体１００に取り付けられた状態で、発光部２００ｂが応力により変形したときに充電部等が破損しない程度の間隔である。幅Ｗ１の最小値は、光源ユニット２００が器具本体１００に取り付けられた状態で、発光部２００ｂと第１リブ１２０とが物理的に干渉しない程度の間隔であるとよい。
【００５７】
幅Ｗ１は、例えば、器具本体１００及び光源ユニット２００の寸法公差、熱膨張等を考慮し、発光部２００ｂと第１リブ１２０とが物理的に干渉しない程度の間隔であってもよい。なお、ここでの物理的に干渉するとは、光源ユニット２００が器具本体１００に取り付けられた状態で、第１リブ１２０により発光部２００ｂが底面部１１１と反対側（Ｚ軸プラス側）に負荷（応力）が加えられることを意味する。幅Ｗ１は、例えば、５ｍｍ以下であり、より好ましくは３ｍｍ以下である。
【００５８】
また、幅Ｗ１は、例えば、人の指Ｆ（例えば、指腹）が発光部２００ｂの裏面２００ｂ２に当たらない程度の間隔であってもよい。例えば、指Ｆは、ＪＩＳ（Ｊａｐａｎｅｓｅ  Ｉｎｄｕｓｔｒｉａｌ  Ｓｔａｎｄａｒｄｓ：日本工業規格）の規定（例えば、ＪＩＳ  Ｃ０９２０）、又は、ＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ：国際電気標準会議）の規格（例えば、ＩＥＣ  ６０３３５−１）で規定される試験指（テストフィンガー）であってもよい。例えば、指Ｆは、直径１２ｍｍ、長さ８０ｍｍの関節付きの試験指であってもよい。これにより、第２リブ１３０を設けなくても、指Ｆが発光部２００ｂの裏面２００ｂ２に当たることを抑制することができる。
【００５９】
なお、第１リブ１２０と発光部２００ｂの裏面２００ｂ２とは、光源ユニット２００が器具本体１００に取り付けられた状態で、少なくとも一部が接触していてもよい。
【００６０】
第２リブ１３０は、例えば、光源ユニット２００が器具本体１００に取り付けられた状態で、発光部２００ｂの側面２００ｂ１と幅Ｗ２のすき間Ｓ２をあけて設けられる。すき間Ｓ２は、例えば、平面視において、環状（例えば、円環状）のすき間である。幅Ｗ２は、すき間Ｓ２における径方向の長さである。幅Ｗ２の最大値は、光源ユニット２００が器具本体１００に取り付けられた状態で、指Ｆが発光部２００ｂの裏面２００ｂ２に当たらない、つまり、指Ｆが発光部２００ｂの裏面２００ｂ２に届かない程度の間隔である。例えば、すき間Ｓ２は、平面視において、指Ｆより小さい。また、幅Ｗ１の最小値は、光源ユニット２００が器具本体１００に取り付けられた状態で、発光部２００ｂと第２リブ１３０とが物理的に干渉しない程度の間隔であるとよい。幅Ｗ２は、さらに、例えば、器具本体１００及び光源ユニット２００の寸法公差、熱膨張等を考慮し、発光部２００ｂと第２リブ１３０とが物理的に干渉しない程度の間隔であってもよい。なお、ここでの物理的に干渉するとは、光源ユニット２００が器具本体１００に取り付けられた状態で、第２リブ１３０により発光部２００ｂに負荷（応力）が加えられることを意味する。幅Ｗ２は、例えば、１ｃｍ以下であり、より好ましくは５ｍｍ以下である。
【００６１】
また、第２リブ１３０は、例えば、発光部２００ｂの第２本体部２３０及び第２カバー部２４０のうち第２本体部２３０の側面２００ｂ１の少なくとも一部を囲むように設けられてもよい。例えば、第２リブ１３０の先端部１３２ａ（第２リブ１３０のうち、設置面と反対側の端部）のＺ軸方向における位置が、図５Ａに示す断面において、裏面２００ｂ２と第２本体部２３０及び第２カバー部２４０の境界Ｂとの間に位置するように第２リブ１３０が設けられてもよい。言い換えると、第２リブ１３０の高さＨ２は、底面部１１１及び裏面２００ｂ２の距離以上、かつ、底面部１１１及び境界Ｂの距離以下であってもよい。例えば、第２リブ１３０は、境界Ｂと面一となる位置まで突出して形成されてもよい。これにより、発光部２００ｂから光の光束ロスの低下を抑制しつつ、指Ｆが裏面２００ｂ２に当たることを抑制することができる。
【００６２】
また、第２リブ１３０の高さＨ２は、例えば、指Ｆが裏面２００ｂ２に当たることをより抑制する観点から高いとよい。第２リブ１３０は、例えば、発光部２００ｂの第２本体部２３０及び第２カバー部２４０のうち、第２本体部２３０及び第２カバー部２４０の少なくとも一部の側面２００ｂ１を囲むように設けられてもよい。例えば、第２リブ１３０の先端部１３２ａのＺ軸方向における位置が、図５Ａに示す断面において、境界Ｂより底面部１１１と反対側に位置するように第２リブ１３０が設けられてもよい。言い換えると、第２リブ１３０の高さＨ２は、底面部１１１及び境界Ｂの距離より大きくてもよい。
【００６３】
また、第２リブ１３０の高さＨ２は、幅Ｗ２が狭い（例えば、３ｍｍ以下である）場合、指Ｆが裏面２００ｂ２に当たらなければ、裏面２００ｂ２と底面部１１１と距離より小さくてもよい。
【００６４】
このような第２リブ１３０は、光源ユニット２００を器具本体１００に取り付けるときのガイドとしても機能する。よって、第２リブ１３０が設けられていることで、光源ユニット２００を取り付けるときの作業性が向上する。
【００６５】
また、段差部１３３は、例えば、外周面１３０ａのうち、第１リブ１２０の上面１２０ａより底面部１１１側に形成されてもよい。
【００６６】
上記では、図５Ａに基づいて、第１リブ１２０及び第２リブ１３０が一体形成されている例について説明したが、これに限定されない、第１リブ１２０及び第２リブ１３０は、互いに離隔して配置されていてもよい。また、第１リブ１２０は、底面部１１１から突出して設けられることに限定されない。第１リブ１２０は、発光部２００ｂに対して底面部１１１側（Ｚ軸マイナス側）に向けて応力が加えられたときに、当該発光部２００ｂの裏面２００ｂ２の少なくとも一部と接触する位置又は形状であればよい。第１リブ１２０の他の例について、図５Ｂ及び図５Ｃを参照しながら説明する。図５Ｂは、本実施の形態に係る器具本体１００に形成される第１リブ１２０の他の一例を示す部分拡大断面図である。図５Ｃは、本実施の形態に係る器具本体１００に形成される第１リブ１２０のさらに他の一例を示す部分拡大断面図である。
【００６７】
図５Ｂに示すように、第１リブ１２０は、ソケット台１５０から発光部２００ｂに向けて（Ｚ軸プラス側に向けて）突出して設けられてもよい。また、図５Ｃに示すように、第１リブ１２０は、第２リブ１３０の内周面１３０ｂから突出して設けられてもよい。図５Ｃの場合、第１リブ１２０は、平面視において、第２リブ１３０の内周面１３０ｂから発光部２００ｂに向けて（図５Ｃの場合は、Ｘ軸マイナス側に向けて）に突出して設けられてもよい。また、第１リブ１２０は、第２リブ１３０と離隔して配置され、かつ、底面部１１１から発光部２００ｂに向けて（Ｚ軸プラス側に向けて）突出して設けられてもよい。
【００６８】
［１−２．効果など］
以上のように、本実施の形態に係る照明器具１０は、底面部１１１を有する器具本体１００と、底面部１１１に配置されたソケット１４０と、ソケット１４０に着脱自在に取り付けられる電源部２００ａ、及び、電源部２００ａがソケット１４０に取り付けられた状態の平面視において電源部２００ａを囲む発光部２００ｂを有する光源ユニット２００とを備える。そして、器具本体１００は、さらに、底面部１１１と発光部２００ｂとの間に配置され、かつ、発光部２００ｂに向けて突出する第１リブ１２０を有する。
【００６９】
これにより、光源ユニット２００が器具本体１００に取り付けられた状態で、発光部２００ｂに底面部１１１側の応力が加わった場合に、第１リブ１２０が発光部２００ｂを支えることができる。つまり、第１リブ１２０により、光源ユニット２００が応力により変形することを抑制することができる。よって、本実施の形態に係る照明器具１０によれば、発光部２００ｂに応力が加わることによる光源ユニット２００及びソケット１４０の破損を抑制することができる。例えば、光源ユニット２００を取り付ける又は交換するときに、不用意に光源ユニット２００の発光部２００ｂに負荷を与え、充電部（電源部２００ａ及びソケット１４０）、及び、光源ユニット２００が破損することを抑制することができる。
【００７０】
また、第１リブ１２０は、底面部１１１から発光部２００ｂに向けて突出して設けられる。
【００７１】
これにより、例えば、器具本体１００が樹脂成形品である場合、第１リブ１２０を容易に形成することができる。
【００７２】
また、照明器具１０は、さらに、ソケット１４０と底面部１１１との間に、ソケット１４０が取り付けられるソケット台１５０であって、平面視において、少なくとも一部が発光部２００ｂと重なるソケット台１５０を備える。そして、第１リブ１２０は、ソケット台１５０から発光部２００ｂに向けて突出して設けられる。
【００７３】
これにより、ソケット台１５０に設けた第１リブ１２０により、光源ユニット２００等が破損することを抑制することができる。また、第１リブ１２０が底面部１１１から突出している場合に比べて、第１リブ１２０の高さＨ１を小さくすることができる。言い換えると、第１リブ１２０を形成するための材料を少なくすることができる。よって、より低コストで光源ユニット２００の破損を抑制することができる照明器具１０を実現することができる。
【００７４】
また、第１リブ１２０は、柱状の突起であり、平面視において、発光部２００ｂに沿って３以上設けられる。
【００７５】
これにより、第１リブ１２０が環状に設けられている場合に比べて、低コストで第１リブ１２０を実現できる。また、第１リブ１２０が３以上あることで、効果的に光源ユニット２００の変形を抑制することができる。
【００７６】
また、第１リブ１２０は、環状の突起である。
【００７７】
これにより、発光部２００ｂに負荷が加えられる位置に関わらず、光源ユニット２００の変形を抑制することができる。よって、光源ユニット２００の破損をさらに抑制することができる。
【００７８】
また、器具本体１００は、さらに、発光部２００ｂの外周側の側面２００ｂ１を囲む第２リブ１３０であって、高さＨ２、及び、側面２００ｂ１とのすき間Ｓ２の少なくとも一方が発光部２００ｂの裏面２００ｂ２（底面部１１１側の面の一例）に人（例えば、作業者）の指Ｆが当たらないように形成されている第２リブ１３０を有する。
【００７９】
これにより、人が発光部２００ｂの裏面２００ｂ２に触れることを抑制することができる。つまり、人が発光部２００ｂの裏面２００ｂ２に触れることで、発光部２００ｂに底面部１１１と反対側の応力が加わることを抑制することができる。よって、発光部２００ｂに応力が加わることによる光源ユニット２００及びソケット１４０の破損をさらに抑制することができる。例えば、光源ユニット２００を取り付ける又は交換するときに、不用意に発光部２００ｂの裏面２００ｂ２に負荷を与え、充電部（電源部２００ａ及びソケット１４０）、及び、光源ユニット２００が破損することをさらに抑制することができる。
【００８０】
また、第２リブ１３０は、光源ユニット２００を器具本体１００に取り付けるときのガイドとしても機能する。
【００８１】
また、すき間Ｓ２の幅Ｗ２は、平面視において、指Ｆより小さい。
【００８２】
これにより、すき間Ｓ２により指Ｆが発光部２００ｂの裏面２００ｂ２に当たることを抑制することができる。また、すき間Ｓ２を狭くする（幅Ｗ２を小さくする）ことで、第２リブ１３０の高さＨ２を低くすることができる。
【００８３】
また、すき間Ｓ２の幅Ｗ２は、１ｃｍ以下である。
【００８４】
これにより、指Ｆ（例えば、指腹）が発光部２００ｂの裏面２００ｂ２に当たることをさらに抑制することができる。
【００８５】
また、指Ｆは、ＪＩＳで規定する試験指である。
【００８６】
これにより、所定の大きさの指Ｆが発光部２００ｂの裏面２００ｂ２に当たることを抑制することができる。
【００８７】
また、発光部２００ｂは、発光モジュール２３１と、発光モジュール２３１が配置される第２本体部２３０（本体部の一例）と、発光モジュール２３１を覆い、かつ、第２本体部２３０に取り付けられる透光性の第２カバー部２４０（カバーの一例）とを有する。そして、第２リブ１３０は、第２本体部２３０と第２カバー部２４０との境界Ｂと面一となる位置まで突出して設けられている。
【００８８】
これにより、発光部２００ｂからの光の光束ロスを抑制しつつ、かつ、指Ｆが発光部２００ｂの裏面２００ｂ２に当たることを抑制することができる。
【００８９】
また、発光部２００ｂは、光源ユニット２００が器具本体１００に取り付けられた状態で、電源部２００ａよりも底面部１１１側に配置される。
【００９０】
これにより、発光部２００ｂが設置面側に近い位置に配置されるので、照明器具１０における照明効果を高めることができる。例えば、発光部２００ｂは、明るさのムラの少ない光を出射することができる。
【００９１】
また、器具本体１００は、樹脂成形品である。
【００９２】
これにより、器具本体１００を容易に作製することができる。例えば、第１リブ１２０及び第２リブ１３０は、アンダーカットとなる凸部及び溝部等を有していない。よって、作業者は、器具本体１００を金型から容易に取り出すことができる。
【００９３】
また、以上のように、本実施の形態に係る照明器具１０は、底面部１１１を有する器具本体１００と、底面部１１１に配置されたソケット１４０と、ソケット１４０に着脱自在に取り付けられる電源部２００ａ、及び、電源部２００ａがソケット１４０に取り付けられた状態の平面視において電源部２００ａを囲む発光部２００ｂを有する光源ユニット２００とを備える。そして、器具本体１００は、さらに、発光部２００ｂの外周側の側面２００ｂ１を囲む第２リブ１３０（リブの一例）であって、高さＨ２、及び、側面２００ｂ１とのすき間Ｓ２の少なくとも一方が発光部２００ｂの裏面２００ｂ２（底面部１１１側の面の一例）に人の指Ｆが当たらないように形成されている第２リブ１３０を有する。
【００９４】
これにより、人が発光部２００ｂの裏面２００ｂ２に触れることを抑制することができる。つまり、人が発光部２００ｂの裏面２００ｂ２に触れることで、発光部２００ｂに底面部１１１と反対側の応力が加わることを抑制することができる。よって、発光部２００ｂに応力が加わることによる光源ユニット２００及びソケット１４０の破損を抑制することができる。例えば、光源ユニット２００を取り付ける又は交換するときに、不用意に発光部２００ｂの裏面２００ｂ２に負荷を与え、充電部（電源部２００ａ及びソケット１４０）、及び、光源ユニット２００が破損することを抑制することができる。
【００９５】
また、第２リブ１３０は、光源ユニット２００を器具本体１００に取り付けるときのガイドとしても機能する。
【００９６】
（実施の形態２）
［２−１.照明器具の構成］
以下、本実施の形態に係る照明器具について、図６〜図８を参照しながら説明する。本実施の形態に係る照明器具は、例えば、壁などに取り付けられて使用される。本実施の形態に係る照明器具は、実施の形態１に係る照明器具１０であってもよい。以下では、実施の形態１に係る照明器具１０が壁に取り付けられた場合について説明する。また、以下では、実施の形態１の照明器具１０と異なる点を中心に説明する。
【００９７】
図６は、壁６００に取り付けられた場合における、本実施の形態に係る照明器具１０の断面図である。図７は、本実施の形態に係る段差部１３３の位置を説明するための部分拡大断面図である。図７は、図６の破線領域Ｒ２を拡大した部分拡大断面図である。なお、図７は、器具本体１００と器具カバー３００との取り付け不良（例えば、螺合不足）により、器具本体１００と器具カバー３００との間にすき間Ｓ３が形成されている場合を示している。また、図６及び図７において、Ｙ軸プラス側が鉛直上側であり、Ｙ軸マイナス側が鉛直下側である。
【００９８】
図６に示すように、本実施の形態に係る照明器具１０は、造営材等の設置面（例えば、壁６００）に設置される。照明器具１０は、例えば、マンションの共用通路の壁６００などの外部環境に曝される場所に設置される。
【００９９】
図６及び図７に示すように、照明器具１０は、実施の形態１と同様、器具本体１００と、ソケット１４０と、ソケット台１５０と、光源ユニット２００と、器具カバー３００（例えば、グローブ）とを備える。また、本実施の形態に係る照明器具１０は、さらに器具本体１００と器具カバー３００との接合部に、外部からの水の浸入を抑制するためのパッキン４００を備えている。パッキン４００は、例えば、環状に設けられる。また、図６及び図７では、器具本体１００が第１リブ１２０及び第２リブ１３０の両方を有している例を示しているが、本実施の形態に係る器具本体１００は、少なくとも第２リブ１３０を有していればよい。また、第２リブ１３０には、段差部１３３が形成される。
【０１００】
図７に示すように、器具本体１００と器具カバー３００との取り付け不良が発生している場合、すき間Ｓ３を介して第２リブ１３０に水滴Ｄが落下することがある。この場合、第２リブ１３０は、水滴Ｄから充電部（電源部２００ａ及びソケット１４０）等を保護する壁として機能する。この場合、第２リブ１３０は、充電部を保護する観点から、充電部に水滴Ｄが落下しないような形状及び位置の少なくとも一方を満たすように形成される。第２リブ１３０は、例えば、鉛直上側から鉛直下側（例えば、Ｙ軸プラス側からＹ軸マイナス側）を視たときに、充電部と重なるように設けられる。また、第２リブ１３０は、例えば、器具カバー３００における鉛直上側の端部３００ａ又はすき間Ｓ３と充電部との間に設けられていればよい。
【０１０１】
そのため、第２リブ１３０は、実施の形態１で説明したような平面視形状が環状であることに限定されず、弧状（例えば、アーチ状）であってもよい。本実施の形態に係る第２リブ１３０は、底面部１１１から発光部２００ｂ側に突出して形成されたリブであって、発光部２００ｂの外周側の側面２００ｂ１の少なくとも一部を囲むリブであればよい。
【０１０２】
第２リブ１３０の平面視形状が弧状である場合、段差部１３３は、第２リブ１３０の周方向の一端から他端にわたって形成されるとよい。また、第２リブ１３０が環状である場合、段差部１３３は、第２リブ１３０の周方向に延在する環状に形成されるとよい。
【０１０３】
なお、水滴Ｄは、結露水又は器具本体１００と器具カバー３００との間から浸入した水等により形成される。図７では、器具本体１００と器具カバー３００との間から浸入した水がすき間Ｓ３から落下することにより水滴Ｄが形成される例を示している。
【０１０４】
第２リブ１３０に水滴Ｄが落下すると、当該水滴Ｄの多くは、第２リブ１３０の周方向に沿って流れる。そして、第２リブ１３０の周方向に流れた水滴Ｄは、水抜き部１３０ｃ及び排水口１１３を介して、照明器具１０の外部に排出される。
【０１０５】
本実施の形態では、器具本体１００は、第２リブ部１３２の水抜き部１３０ｃが鉛直下側となるように壁６００に取り付けられる。言い換えると、器具本体１００は、第２リブ１３０の尖部１３１ａが鉛直上側となるように壁６００に取り付けられる。よって、第２リブ１３０に水滴Ｄが落ちる位置には、平面視形状が尖状の尖部１３１ａが配置される。これにより、さらに、第２リブ１３０に落下した水滴Ｄを第２リブ１３０の周方向に流すことができる。
【０１０６】
しかしながら、水滴Ｄの一部は、第２リブ１３０の高さ方向（Ｚ軸方向）に流れることがある。段差部１３３は、第２リブ１３０の高さ方向に流れる水滴Ｄが第２リブ１３０の先端部１３２ａから落下することを抑制する機能を有する。水滴Ｄは、当該水滴Ｄが流れる経路上に段差があると、表面張力等の影響により、当該段差が形成されている方向（本実施の形態では、第２リブ１３０の周方向）に沿って広がりながら流れる性質がある。よって、本実施の形態に係る段差部１３３であって、第２リブ１３０の周方向に延在する段差部１３３は、例えば、図８に示すように、第２リブ１３０の高さ方向の流れてきた水滴Ｄを、第２リブ１３０の周方向に流すことができる。図８は、壁６００に取り付けられた場合における、本実施の形態に係る第２リブ１３０に水滴Ｄが落ちたときの水滴Ｄの流れを示す図である。図８に示す矢印は、水滴Ｄの流れを示す。
【０１０７】
なお、第２リブ１３０における段差部１３３が形成される位置は、当該第２リブ１３０に水滴Ｄが落ちる位置Ｐより発光部２００ｂ側であるとよい。例えば、位置Ｐは、器具カバー３００の底面部１１１側の端部３００ａから第２リブ１３０に向けて水滴Ｄが落ちる地点である。なお、水滴Ｄが落ちる地点とは、水滴Ｄが落ちると推測される地点を含む。
【０１０８】
また、第２リブ１３０は、発光部２００ｂの側面２００ｂ１を囲むように設けられている場合、第２リブ１３０の先端部１３２ａから境界Ｂに水滴Ｄが落下しないように形成されるとよい。第２リブ１３０の先端部１３２ａは、例えば、境界Ｂと面一ではないとよい。第２リブ１３０の高さＨ２は、底面部１１１と境界Ｂとの距離以外の長さであるとよい。例えば、第２リブ１３０は、第２カバー部２４０及び第２本体部２３０の両方を囲むように形成されているとよい。これにより、第２リブ１３０の先端部１３２ａから発光部２００ｂの境界Ｂに水滴Ｄが落下することを抑制することができる。つまり、水滴Ｄにより、発光部２００ｂ（例えば、発光モジュール２３１）が故障することを抑制することができる。
【０１０９】
なお、図６及び図７では、段差部１３３は、第２リブ１３０の外周面１３０ａに１つ形成されている例について説明したが、これに限定されない。第２リブ１３０は、水滴Ｄが落下する位置Ｐより第２リブ１３０の先端部１３２ａ側に２以上形成されていてもよい。この場合、２以上の段差部１３３のそれぞれにおいて、１の段差部１３３に対して底面部１１１側に配置されたリブ部と当該１の段差部１３３に対して先端部１３２ａ側に配置されたリブ部とでは、先端部１３２ａ側のリブ部の外周面１３０ａが凹む段差である。例えば、図７に示す断面において、第２リブ１３０の外周面１３０ａの断面視形状は、底面部１１１側から先端部１３２ａ側に向かって下がる階段状であってもよい。
【０１１０】
なお、図７に示すように、器具本体１００には、Ｙ軸プラス側の部分に排水口１１４（水抜き穴）が形成されていてもよい。器具本体１００には、例えば、第２リブ部１３２の水抜き部１３０ｃが鉛直下側となるように壁６００に取り付けられた状態で、鉛直上側の部分に排水口が形成されていてもよい。このような照明器具１０を天井等に取り付けた場合に、排水口１１４を側壁部１１２の水抜き穴として利用することができる。
【０１１１】
［２−２．効果など］
以上のように、本実施の形態に係る照明器具１０は、底面部１１１を有する器具本体１００と、底面部１１１に配置されたソケット１４０と、ソケット１４０に着脱自在に取り付けられる電源部２００ａ、及び、電源部２００ａがソケット１４０に取り付けられた状態の平面視において電源部２００ａを囲む発光部２００ｂを有する光源ユニット２００とを備える。器具本体１００は、さらに、底面部１１１から発光部２００ｂ側に突出して形成された第２リブ１３０（リブの一例）であって、発光部２００ｂの外周側の側面２００ｂ１の少なくとも一部を囲む第２リブ１３０を有する。そして、第２リブ１３０は、発光部２００ｂ側の外周面１３０ａが底面部１１１側の外周面１３０ａより凹む段差部１３３を有する。
【０１１２】
例えば、第２リブ１３０は、発光部２００ｂ側に配置された第１リブ部１３１と、第１リブ部１３１より底面部１１１側に配置された第２リブ部１３２と、第１リブ部１３１及び第２リブ部１３２の境界の外周面１３０ａに形成され、かつ、第２リブ１３０の平面視における形状に沿って延在する段差部１３３であって、第１リブ部１３１の外周面１３０ａが第２リブ部１３２の外周面１３０ａより発光部２００ｂ側に凹む段差部１３３とを有する。
【０１１３】
これにより、第２リブ１３０に落下して第２リブ１３０の高さ方向（Ｚ軸方向であって、発光部２００ｂに向かう方向）に流れる水滴Ｄの流れ方向を、段差部１３３に沿う方向に変えることができる。よって、充電部（電源部２００ａ及びソケット１４０）に向けて落下した水滴Ｄが当該充電部に落下することを抑制することができる。
【０１１４】
また、段差部１３３は、第２リブ１３０に水滴Ｄが落ちる位置Ｐより発光部２００ｂ側に配置されている。
【０１１５】
これにより、第２リブ１３０の高さ方向に流れる水滴Ｄを効果的に第２リブ１３０の周方向に流すことができる。
【０１１６】
また、照明器具１０は、さらに、光源ユニット２００を覆い、かつ、器具本体１００に取り付けられる透光性の器具カバー３００を備える。そして、位置Ｐは、器具カバー３００の底面部１１１側の端部３００ａから第２リブ１３０に向けて水滴Ｄが落ちる地点である。
【０１１７】
これにより、器具カバー３００から充電部に向けて落下した水滴Ｄが、充電部に落下することを抑制することができる。例えば、器具カバー３００と器具本体１００との取り付け不良により生じた器具カバー３００と器具本体１００とのすき間から浸入してきた水が、充電部に落下することを抑制することができる。
【０１１８】
また、第２リブ１３０は、平面視形状が弧状であり、段差部１３３より底面部１１１側の第１リブ部１３１と、段差部１３３より発光部２００ｂ側の第２リブ部１３２とを有する。そして、第１リブ部１３１は、位置Ｐに平面視形状が尖状の尖部１３１ａを有する。
【０１１９】
これにより、第２リブ１３０に落下した水滴Ｄを効率よく第２リブ１３０の周方向に流すことができる。よって、さらに効果的に充電部を保護することができる。
【０１２０】
また、第２リブ１３０は、発光部２００ｂの外周側の側面２００ｂ１を囲む環状に形成されている。そして、段差部１３３は、第２リブ１３０の周方向に延在する環状に形成されている。
【０１２１】
これにより、器具本体１００の平面視における回転方向の取り付け位置によらず、充電部に水滴Ｄが落ちることを抑制することができる。例えば、器具本体１００が正規の取り付け方向に取り付けられなかった場合（例えば、器具本体１００の排水口１１３が鉛直上側となるように取り付けられるなど）においても、充電部を水滴Ｄから保護することができる。
【０１２２】
また、照明器具１０は、壁６００に取り付けられる。
【０１２３】
これにより、壁６００に取り付けられた場合、鉛直下方に落下する水滴Ｄから充電部を保護することができる。
【０１２４】
（他の実施の形態）
以上、照明器具について、各実施の形態に基づいて説明したが、本発明は、この実施の形態に限定されるものではない。本発明の趣旨を逸脱しない限り、当業者が思いつく各種変形を本実施の形態に施したもの及び異なる実施の形態における構成要素を組み合わせて構築される形態も、本発明の範囲内に含まれる。
【０１２５】
例えば、上記各実施の形態では、光源ユニット２００には、開口２００ｄが形成されている例について説明したが、これに限定されない。光源ユニット２００には、開口２００ｄが形成されていなくてもよい。例えば、電源部２００ａと発光部２００ｂとは、離隔して配置されていなくてもよい。例えば、電源部２００ａ及び発光部２００ｂが、１つの筐体内に配置されていてもよい。
【０１２６】
また、上記各実施の形態では、電源部２００ａには発光モジュールが配置されていない例について説明したが、これに限定されない。照射面をより均一に照らす観点から、電源部２００ａにも発光モジュールが配置されていてもよい。
【０１２７】
また、上記実施の形態では、光源ユニット２００が器具本体１００に着脱自在に取り付けられる例について説明したが、本願発明は、光源ユニット２００が器具本体１００に固定して取り付けられる照明器具１０に対しても適用することができる。器具本体１００及び光源ユニット２００は、光源ユニット２００を器具本体１００に着脱自在似鳥付けられる構成を有していなくてもよい。
【０１２８】
また、上記各実施の形態では、第１リブ１２０と発光部２００ｂの裏面２００ｂ２との間に他の部材が配置されていない例について説明したが、これに限定されない。例えば、第１リブ１２０の上面１２０ａ、及び、発光部２００ｂの裏面２００ｂ２の少なくとも一方には、第１リブ１２０と発光部２００ｂとの間のすき間の少なくとも一部を埋めるクッション部材（例えば、ウレタン等で形成されたクッション部材）等が配置されていてもよい。
【０１２９】
また、上記各実施の形態では、第２リブ１３０と発光部２００ｂの側面２００ｂ１との間に他の部材が配置されていない例について説明したが、これに限定されない。例えば、第２リブ１３０の内周面１３０ｂ（例えば、第２リブ部１３２の内周面１３０ｂ）、及び、発光部２００ｂの側面２００ｂ１の少なくとも一方には、第２リブ１３０と発光部２００ｂとの間のすき間の少なくとも一部を埋めるクッション部材等が配置されていてもよい。
【０１３０】
また、上記実施の形態では、第１リブ１２０及び第２リブ１３０は、底面部１１１に対して立設して設けられる例について説明したが、第１リブ１２０及び第２リブ１３０の少なくとも一方は、底面部１１１に対して所定の角度で突出する突起であってもよい。
【０１３１】
また、上記実施の形態２では、第２リブ１３０は、発光部２００ｂの側面２００ｂ１を囲むように設けられる例について説明したが、これに限定されない。例えば、段差部１３３が形成された第２リブ１３０は、発光部２００ｂと底面部１１１との間に設けられてもよい。
【０１３２】
また、上記各実施の形態に係る段差部１３３は、第１リブ部１３１から第２リブ部１３２に向けて所定の傾斜をなすように形成されていてもよい。言い換えると、段差部１３３は、第１リブ部１３１から第２リブ部１３２に向けて傾斜する傾斜面を有していてもよい。
【符号の説明】
【０１３３】
１０    照明器具
１００    器具本体
１１１  底面部
１２０    第１リブ
１３０    第２リブ
１４０    ソケット
１５０    ソケット台
２００    光源ユニット
２００ａ    電源部
２００ｂ    発光部
２００ｂ１    側面
２３１    発光モジュール
Ｂ    境界
Ｆ    指
Ｈ２    高さ
Ｓ２    すき間
Ｗ２    幅
【図１Ａ】
2020177845.tif 000003
【図１Ｂ】
2020177845.tif 000004
【図２】
2020177845.tif 000005
【図３】
2020177845.tif 000006
【図４】
2020177845.tif 000007
【図５Ａ】
2020177845.tif 000008
【図５Ｂ】
2020177845.tif 000009
【図５Ｃ】
2020177845.tif 000010
【図６】
2020177845.tif 000011
【図７】
2020177845.tif 000012
【図８】
2020177845.tif 000013